(57)【特許請求の範囲】
【請求項１】
遅延されたベースバンドサンプルが提供される分数間隔等化器の現在の遅延オフセットを決定するための方法であって、前記方法は、
第１および第２のレイク受信機フィンガからの到着時刻が統計的に導出されて結合された到着時刻を決定し、
前記到着時刻と前記分数間隔等化器の前記現在の遅延オフセットとの間の差を決定し、そして
前記差が１個のタップ間隔よりもより大きいかあるいは等しい場合は、前記分数間隔等化器の前記現在の遅延オフセットを増分遅延オフセットにより修正する
ステップを含む方法。
【請求項２】
前記統計的に導出された到着時刻は各レイク受信機フィンガの信号エネルギーによって重み付けされた各レイク受信機フィンガからの到着時刻を平均した平均到着時刻である請求項１記載の方法。
【請求項３】
さらに、
前記第１のレイク受信機フィンガからの第１の到着時刻および第１の信号エネルギーを収集し、
前記第２のレイク受信機フィンガからの第２の到着時刻および第２の信号エネルギーを収集し、
第１の重み付けされた到着時刻を決定するために、前記第１の到着時刻を前記第１の信号エネルギーによって重み付けし、
第２の重み付けされた到着時刻を決定するために、前記第２の到着時刻を前記第２の信号エネルギーによって重み付けし、そして
前記重み付けされた平均到着時刻を決定するために、前記第１の到着時刻および前記第２の到着時刻を利用する
ステップをさらに含む請求項２記載の方法。
【請求項４】
前記統計的に導出された到着時刻は到着時刻の中央値である請求項１記載の方法。
【請求項５】
前記統計的に導出された到着時刻は単純な平均到着時刻である請求項１記載の方法。
【請求項６】
前記第１のレイク受信機フィンガ及び前記第２のレイク受信機フィンガはサンプルバッファからデータを受信する請求項１記載の方法。
【請求項７】
前記増分遅延オフセットは、前記差の絶対値よりもより小さい最大の整数を選定することによって決定される、請求項１記載の方法。
【請求項８】
前記１個のタップ間隔の倍数により複数の濾波器係数をシフトするステップをさらに含む請求項１記載の方法。
【請求項９】
前記修正するステップは前記差の絶対値が１よりもより大きい場合に生じる請求項１記載の方法。
【請求項１０】
前記修正するステップはパイロットバーストの期間中に生じる請求項１記載の方法。
【請求項１１】
前記分数間隔等化器は有限インパルス応答濾波器である請求項１記載の方法。
【請求項１２】
前記分数間隔等化器への入力は前記現在の遅延オフセットだけ遅延される請求項１記載の方法。
【請求項１３】
無線通信システムにおける受信機であって、前記受信機は、
第１および第２のレイク受信機フィンガに結合されたサンプルバッファと、そして
前記第１および前記第２のレイク受信機フィンガおよび前記サンプルバッファに結合された各受信機フィンガの信号エネルギーによって重み付けされた各受信機フィンガからの到着時刻を平均した平均到着時刻を算出する平均時刻トラッキングモジュールとを含み、前記第１および第２のレイク受信機フィンガはそれぞれレイクフィンガ到着時刻および信号エネルギーを前記重み付けされた平均時刻トラッキングモジュールに与え、
前記重み付けされた平均時刻トラッキングモジュールは前記平均到着時刻がオフセット遅延されたベースバンドサンプルを前記受信機内の分数間隔等化器に与え、そして前記分数間隔等化器の現在の遅延オフセットを重み付けされた平均到着時刻にセットするように形成されている、
受信機。
【請求項１４】
前記重み付けされた平均時刻トラッキングモジュールはさらに、前記第１のレイク受信機フィンガから第１の到着時刻および第１の信号エネルギーを収集し、そして前記第２のレイク受信機フィンガから第２の到着時刻および第２の信号エネルギーを収集するように形成されている請求項１３記載の受信機。
【請求項１５】
前記重み付けされた平均時刻トラッキングモジュールはさらに、第１の重み付けされた到着時刻を決定するために前記第１の到着時刻を前記第１の信号エネルギーによって重み付けし、そして第２の重み付けされた到着時刻を決定するために前記第２の到着時刻を前記第２の信号エネルギーによって重み付けするように形成されている請求項１４記載の受信機。
【請求項１６】
前記重み付けされた平均時刻トラッキングモジュールはさらに、前記第１の、および前記第２の重み付けされた到着時刻から前記重み付けされた平均到着時刻を決定するよう形成されている請求項１５記載の受信機。
【請求項１７】
前記重み付けされた平均時刻トラッキングモジュールは、前記第１の信号エネルギーを正規化するために前記第１および第２の信号エネルギーの合計エネルギーを決定する請求項１４記載の受信機。
【請求項１８】
前記重み付けされた平均時刻トラッキングモジュールは、前記第２の信号エネルギーを正規化するために前記第１および第２の信号エネルギーの合計エネルギーを決定する請求項１４記載の受信機。
【請求項１９】
前記重み付けされた平均時刻トラッキングモジュールは、前記重み付けされた平均到着時刻が前の遅延オフセットと１個のタップ間隔よりもより大きいかあるいは等しい値だけ異なる場合は、増分遅延オフセットにより前記現在の遅延オフセットを増加させる請求項１３記載の受信機。
【請求項２０】
前記重み付けされた平均時刻トラッキングモジュールは、前記重み付けされた平均到着時刻が前の遅延オフセットと負の１個のタップ間隔よりもより小さいかあるいは等しい値だけ異なる場合は、増分遅延オフセットにより前記現在の遅延オフセットを減少させる請求項１３記載の受信機。
【請求項２１】
前記分数間隔等化器の複数の濾波器係数はパイロットバーストの期間中にシフトされる請求項１３記載の受信機。
【請求項２２】
前記分数間隔等化器は有限長のインパルス応答濾波器である請求項１３記載の受信機。
【請求項２３】
遅延されたベースバンドサンプルが提供される分数間隔等化器の現在の遅延オフセットを決定するためのディジタル信号処理装置であって、前記処理装置は、
ベースバンドサンプルが提供される記憶装置と、そして
前記記憶装置に結合され、そして
前記記憶装置に結合された第１および第２のレイク受信機フィンガからの各到着時刻から統計的に導出された到着時刻を決定し、
前記統計的に導出された到着時刻と前記分数間隔等化器の前記現在の遅延オフセット間の差を決定し、そして
前記差が１個のタップ間隔よりもより大きいかあるいは等しい場合は、増分遅延オフセットにより前記分数間隔等化器の前記現在の遅延オフセットを修正することによって、
ディジタル信号を処理するために用いられるディジタル信号処理装置とを含む、
処理装置。
【請求項２４】
無線通信システムにおける受信機であって、前記受信機は、
第１および第２のレイク受信機手段と結合されたベースバンドサンプルが提供されるバッファリング手段と、そして
前記第１および前記第２のレイク受信機手段および前記バッファ手段と結合された、各前記レイク受信機手段の信号エネルギーによって重み付けされた各前記レイク受信機手段からの到着時刻を平均した平均到着時刻を算出する重み付けされた平均時刻トラッキング手段とを含み、
前記重み付けされた平均時刻トラッキング手段は前記平均到着時刻がオフセット遅延されたベースバンドサンプルを前記受信機内の分数間隔等化器に与え、前記受信機内の分数間隔等化器手段に関する現在の遅延オフセットを前記重み付けされた前記平均到着時刻にセットするように形成されている、
受信機。
【発明の詳細な説明】
【技術分野】
【０００１】
本発明は、一般的に無線通信システムに、そしてより特別には無線通信システムにおける等化器タイミング回復技術に関する。
【背景技術】
【０００２】
無線通信環境において、信頼できる通信はいくつかのチャネル損傷によって、逆に影響されることが可能である。受信した信号を劣化させる典型的な原因は、雑音、他局間干渉、符号間干渉（“ＩＳＩ”；intersymbol interference）、およびマルチパス干渉である。マルチパス干渉はその中においてフェージングを発生する信頼できる通信にとって、しばしば歪みに関する非常に破壊的な形態である。
【０００３】
符号分割多元接続（“ＣＤＭＡ”；code division multiple access）等のコヒーレント通信システムにおいては、一般的に無線受信機は、送信機との一定した接続を維持するために無線送信機と一定した同期にあることが必要である。もしも受信機が同期を失った場合は、送信機との“ロック；（lock）”の損失が発生する。この状態はしばしば無線サービスのユーザに対するサービスの損失に至る。
【０００４】
セルラ電話環境においては、このことは電話のユーザに対する呼の不通、あるいは無線データ環境においてはユーザに対する、遅い、信頼できないネットワーク接続に至ることが可能である。不十分な信頼性は、もしも状況が持続する場合は、プロバイダとのサービスを中止することを求めるかも知れない怒ったユーザを生み出すことが可能である。もしも不十分な信頼性がかなり頻繁に発生すれば、無線サービスプロバイダは市場のシェアおよび利益を失うかも知れない。
【０００５】
チャネルが原因かも知れないこの悪い結果と闘うためには、よく設計された受信機はレイク処理装置（Rake processor）、分数間隔等化器、あるいは両者を使用することが可能である。レイク処理装置は１個あるいはそれ以上の“フィンガ（finger）”を含み、その各々は各フィンガからのマルチパス放射が、構成的にともに加算されることが可能であるように、個々のマルチパス放射を追跡する。レイク受信機は、当業界においては、低い搬送波対干渉“Ｃ／Ｉ”環境においてよく動作することが知られている。
【０００６】
分数間隔等化器（“ＦＳＥ”；fractionally spaced equalizer）は、その係数が信号のレシプロカル帯域幅(reciprocal bandwidth)よりもより小さいかあるいは等しい時刻間隔を保たれた、有限長のタップつき遅延線濾波器である。もしもレシプロカル帯域幅がＴ秒である場合は、そこで一例として、ＦＳＥタップつき遅延線は、Ｔ／２あるいは３Ｔ／４秒の間隔を保たれることが可能である。濾波器は、ＩＳＩの影響をマルチパス干渉およびパルス濾波から減少する。
【０００７】
ＦＳＥが正しく干渉を軽減するように、濾波器はチャネルの全インパルス応答に亙らなければならない。濾波器の遅延オフセットはこれが実際にそうであることを保証するように調整されなければならない。さらに、チャネルのインパルス応答は時間と共に変化するかもしれないので、ＦＳＥの遅延はそれが常にチャネルのインパルス応答に亙っているように連続的に変化されなければならない。
【０００８】
最強のレイクフィンガ（Rake finger）に関するタイミング情報を等化器に対する遅延オフセットとして使用する等の、ＦＳＥに対する遅延オフセットを決定し調整するための既知の方法は信頼できないことが見出されてきている。その結果当業界においては、分数間隔等化器に対して遅延オフセットを決定しそして調整するための効率的な方法に対するニーズが存在する。
【発明の開示】
【課題を解決するための手段】
【０００９】
ここに開示された実施例は、分数間隔等化器に対する遅延オフセットを決定するための効率的な方法を与えることによって、上に述べたニーズを処理するものである。
ここに開示された実施例は、分数間隔等化器における遅延オフセットを決定するための方法および装置に向けられている。本発明の一つの観点に従って、分数間隔等化器の遅延オフセットを決定するために、重み付けされた平均到着時刻が用いられる。重み付けされた平均到着時刻は、第１および第２のレイク受信機からの到着時刻および信号エネルギーを用いて決定される。Ｘは重み付けされた平均到着時刻および現在の遅延オフセット間の差を、等化器のタップ間隔の単位で示しているとしよう。Ｑ（Ｚ）は、ｚを超えない最大の整数を示しているとしよう。もしも、これも増分遅延オフセットとして参照されるＱ（｜Ｘ｜）が１よりもより大きいか等しければ、そこで現在の遅延オフセットは更新される。また、複数の濾波器係数はタップ間隔Ｑ（｜Ｘ｜）に関する整数値シフトされる。そうでない場合は、もしもＱ（｜Ｘ｜）が０であれば、そこで、現在の遅延オフセットは更新されず、そして線形等化器の複数の濾波器係数もシフトされない。線形等化器の複数の濾波器係数の適応は、適応過渡を最小とするようにパイロットバーストの期間中のみ生じる。
【発明を実施するための最良の形態】
【００１０】
ここに開示された実施例は、分数間隔等化器において遅延を調整するための方法および装置に向けられている。以下の記述は本発明の実現に適している特別な情報を含む。当業界において熟練した人は、本発明が本出願の中に特に論じられたものから異なった方法で実現されることが可能であることを認めるであろう。さらに、本発明の特定の細部のいくつかは、本発明を不明瞭にしないために論じられない。本出願において記述されない特定の細部は、当業界において通常に熟練した人の知識の範囲内にある。
【００１１】
本出願中の図面およびそれらに伴う詳細な記述は、本発明の単に実例となる実施例に向けられている。簡潔さを保つために、本発明の原理を用いている本発明の他の実施例は、本出願の中には特に記述されず、そしてこの図面によって特に示されない。用語“典型的な”は、ここでは、“実例、事実、あるいは例証として役立つ”を意味するために限定的に使用される。ここに“典型的”にとして記述されたいずれの実施例も、他の実施例よりも優れて選定されたあるいは有利なものとして解釈される必要はない。
【００１２】
ここで図１を参照して、ブロック１００は、通信受信機のベースバンド処理の部分を示す。ブロック１００は、簡潔のためにベースバンド受信機の部分のみを示すが、本出願においてはベースバンド受信機１００として参照されるであろう。ベースバンド受信機１００は、図１には示されていない無線周波数（“ＲＦ”）フロントエンドから到着するサンプルバッファ入力１０２を受信するサンプルバッファ１１０を含む。これもまた単にレイク処理装置１２０として参照される、Ｎフィンガレイク処理装置１２０は、レイクフィンガ１２２およびレイクフィンガ１２４等のいくつかのレイクフィンガを含む。レイクフィンガ１２２は、サンプルバッファ１１０からレイクフィンガ入力１０７を受信する。同様に、レイクフィンガ１２４は、サンプルバッファ１１０からレイクフィンガ入力１０５を受信する。サンプルバッファ出力１０４は、これもまたレイクフィンガ１２２およびレイクフィンガ１２４それぞれから与えられるレイクフィンガ到着時刻および信号エネルギー１３２、およびレイクフィンガ到着時刻および信号エネルギー１３０を受信する、“最強フィンガ時刻トラッキングモジュール（strongest finger time tracking module）”１４０に与えられる。最強フィンガ時刻トラッキングモジュール出力１０６は分数間隔等化器１５０に与えられる。分数間隔等化器出力１０８は、さらなるベースバンド処理のために与えられる。レイク処理装置１２０および分数間隔等化器１５０は、マルチパス干渉およびＩＳＩを軽減するために利用される。
【００１３】
示されたベースバンド受信機１００は、無線モデム等の高データレート（“ＨＤＲ”；（High Data Rate））ＣＤＭＡシステム内のアクセス端末に置かれるかも知れないが、しかしあるいは基地局トランシーバ、衛星トランスポンダ、あるいはセルラ電話等の無線移動ユニットの部分であるかも知れない。
【００１４】
ＣＤＭＡ通信システムの一般的な原理、およびとくに、通信チャネル上への伝送のためのスペクトル拡散信号の発生に関する一般的な原理は、“衛星あるいは地上中継器を用いるスペクトル拡散多元接続通信システム”と題された、そして本発明の譲受人に譲渡された、米国特許４，９０１，３０７の中に記述されている。その特許、すなわち米国特許４，９０１，３０７における開示は、参照によって本出願にこの結果完全に組み込まれている。さらに、“ＣＤＭＡセルラ電話システムにおける信号波形を発生するためのシステムおよび方法”と題された、そして本発明の譲受人に譲渡された、米国特許５，１０３，４５９は、ＰＮ拡散、ウォルシュカバリング、およびＣＤＭＡスペクトル拡散通信信号を発生するための技術に関係した原理を開示している。その特許、すなわち米国特許５，１０３，４５９における開示はまた、参照によって本出願にこの結果完全に組み込まれている。さらに、本発明は、データの時刻マルチプレクシングおよび“高データレート”通信システムに関係する種々の原理を利用しており、そして本発明は、“高レートパケットデータ伝送のための方法および装置”と題された、１９９７年１１月３日に出願され、そして本発明の譲受人に譲渡された、米国特許出願シリアル番号０８／９６３，３８６の中に開示された“高データレート”通信システムに使用されることが可能である。その特許出願における開示はまた、この結果本出願の中に参照によって完全に組み込まれている。
【００１５】
ベースバンド受信機１００に関する高レベル全体像に戻って、サンプルバッファ１１０へのサンプルバッファ入力１０２は、一般的に図１には示されていないＲＦフロントエンドから到着した、受信された複素ベースバンドサンプルを含む。サンプルバッファ入力１０２は、オーバーサンプルされること（すなわち、信号のナイキストレートよりもより大きい割合でサンプルされる）ことが可能である。そしてサンプルは、そこでそれらが後の処理のために仮に保存されるサンプルバッファ１１０に通されるであろう。オーバーサンプリング処理は、通常受信機設計の中に使用されそして当業界においてはよく知られている。
【００１６】
一般的にサンプルは、標準の受信機動作期間中、サンプルバッファ１１０が継続的に新しいサンプルを加えそして古いサンプルを落としてゆくために、規則的な間隔で到着する。サンプルバッファ１１０は、ファーストイン‐ファーストアウト（“ＦＩＦＯ”）バッファとして実現されることが可能である。
【００１７】
レイク処理装置１２０はサンプルバッファ１１０からのサンプルを、レイクフィンガ１２２および１２４の各々一つに対する種々の到着時刻で受け入れる。レイクフィンガ１２２はレイクフィンガ到着時刻および信号エネルギー１３２を、最強フィンガ時刻トラッキングモジュール１４０に与える。同様にレイクフィンガ１２４もまたレイクフィンガ到着時刻および信号エネルギー１３０を、最強フィンガ時刻トラッキングモジュール１４０に与える。最強フィンガ時刻トラッキングモジュール１４０は、サンプルバッファ出力１０４を通ってサンプルバッファ１１０に結合されている。最強フィンガ時刻トラッキングモジュール１４０は、遅延されたベースバンドサンプルを、そこで分数間隔等化器出力１０８をさらなるベースバンド処理のために与えるところの、分数間隔等化器１５０に与える。
【００１８】
一般的に、ベースバンド受信機１００は、レイクフィンガ１２２および１２４のいずれか一つを、異なった割り当て到着時刻で、追跡サンプルバッファ入力１０２に割り当てることが可能である。レイクフィンガ１２２および１２４に対して割り当てられた到着時刻は、図１には示されていない探索器(searcher)によって決定される。レイクフィンガ１２２は、サンプルバッファ入力１０２を、割り当てられた到着時刻によって遅延されてきている局部ＰＮ発生器と互いに関係づけることによって、信号エネルギー強度を決定することが可能である。レイクフィンガ１２４はレイクフィンガ１２２と同じ処理を異なった到着時刻において実行する。局部ＰＮ発生器は、ベースバンド処理装置の部分であるが、しかし図１には示されていない。
【００１９】
レイクフィンガ到着時刻および信号エネルギー１３０および１３２は、最強フィンガ時刻トラッキングモジュール１４０に入力として与えられる。最強フィンガ時刻トラッキングモジュール１４０は、分数間隔等化器１５０に対する遅延オフセットを決定するために“最強レイクフィンガ（strongest Rake finger）”に関する到着時刻を選定する。そしてそこでは、“最強レイクフィンガ”は、信号エネルギーの最大の量を有するレイクフィンガに帰せられる。最強フィンガ時刻トラッキングモジュール１４０は、最強レイクフィンガ到着時刻に等しい遅延オフセットをもったサンプルバッファ１１０からのサンプルを分数間隔等化器１５０への入力として選定する。
【００２０】
ベースバンド受信機１００内の分数間隔等化器１５０は、線形等化器の一つの形式である。分数間隔等化器１５０は、有限インパルス応答（“ＦＩＲ”；finite impulse response）濾波器として実現されることが可能である。分数間隔等化器１５０は、一般的に、ＩＳ‐２０００およびＩＳ‐９５標準等の若干のＣＤＭＡシステムに対しては、１．２２８８ＭＨｚであるチップレートよりもより速いレートで、最強フィンガ時刻トラッキングモジュール出力１０６を濾波する。
【００２１】
図１において、最強レイクフィンガに関する到着時刻を使用することは、分数間隔等化器１５０に対する遅延オフセットを確立するための既知の方法である。この方法は、分数間隔等化器１５０を最大のエネルギーを含むチャネル応答の領域付近で中心に置く。プリカーソル、あるいはポストカーソルＩＳＩは、通常最強レイクフィンガの付近にあるために、このようにして、分数間隔等化器１５０はチャネル応答の大部分を等化する。したがって、変化のないチャネル応答を仮定して、分数間隔等化器１５０は一般的に信号の最も歪んだ部分の大部分を消去する。
【００２２】
実際問題として、分数間隔等化器１５０に対する遅延オフセットとして最強レイクフィンガの到着時刻を用いることはいくつかの欠点を有している。一般的に、レイクフィンガ１２２あるいはレイクフィンガ１２４の何れかの最強レイクフィンガの到着時刻は一定してはおらず、それは最強フィンガ時刻トラッキングモジュール１４０の時刻トラッキングループが連続的にタイミング調整をしているために、そして受信機の位置の変化あるいは環境のゆっくりした変化のために、むしろ絶えず変化している。分数間隔等化器１５０は、最強フィンガ時刻トラッキングモジュール１４０によってなされるタイミング調整をタイミングジッタとして有効に認知している。
【００２３】
タイミングジッタは、分数間隔等化器１５０が頼りにしている適応アルゴリズムに対して非常に問題であることが可能である。分数間隔等化器１５０は、濾波器係数をそれらの最小平均二乗解（“ＭＭＳＥ”；Minimum Mean Square Solution）に適応させるために、確率的勾配降下適応アルゴリズムのクラスから、よく知られたＬＭＳ（Least Mean Square）アルゴリズムを使用するかも知れない。ＭＭＳＥ濾波器係数は、ＦＳＥ出力における信号対干渉および雑音比（“ＳＩＮＲ”；Signal-to-interference-and-Noise Ratio）を最大化する。ＬＭＳアルゴリズムはいくつかの理由のために、分数間隔等化器１５０を適応する場合に使用するための望ましい選択である。第１の理由はＬＭＳアルゴリズムは容易に実行できることである。第２の理由はＬＭＳアルゴリズムは一般的に他の適応アルゴリズムに比して複雑さが低いことである。ＬＭＳアルゴリズムは一般的に安定であるが、最強フィンガ時刻トラッキングモジュール１４０によってなされる時刻トラッキングループ調整に関して、しばしばゆっくり適応する。
【００２４】
ベースバンド受信機１００においてもしも時刻トラッキングループ調整が発生する場合は、分数間隔等化器１５０はタイミング調整に対して適応する必要があろう。もしも時刻トラッキングループ調整がしばしば十分に行われる場合は、そこで、分数間隔等化器１５０はこれらの変化に常に適応し、そして濾波器係数はそれらのＭＭＳＥ解の近くに決して収束しないかも知れない。その結果、分数間隔等化器１５０は多分適切に適応することはできず、そして検出特性は次善(sub-optimal)であることが可能であろう。その結果、全体のシステム特性は満足できないものとなるかも知れない。
【００２５】
タイミング調整の生起を少なくする一つの方法は、最強フィンガ時刻トラッキングモジュール１４０のループ時定数をより大きくすることである。ループ時定数は、最強フィンガ時刻トラッキングモジュール１４０によって行われるタイミング調整が、分数間隔等化器１５０が適応するための適応アルゴリズムに対して十分に遅いように、十分に大きくされなければならないであろう。しかしながらこのアプローチは、最強フィンガのトラッキング特性が劣化されているために、問題を与えることが可能である。もしもレイクフィンガ１２２あるいは１２４の何れかが、十分敏速に追跡することが不可能な場合は、そこでレイクフィンガ１２２あるいは１２４はそれぞれロックを失う可能性がある。
【００２６】
図２は、最強レイクフィンガに関する到着時刻を、分数間隔等化器１５０の遅延オフセットとして用いることに伴う他の問題を示している。プロット２００、２１０、および２２０は、時間領域チャネル応答の、１あるいは２スロットのオーダーの、いくらかの小さな時間間隔Δの間隔における経時的なスナップショットを示している。
【００２７】
プロット２００は瞬間ｋにおけるチャネル応答を示している。ピーク２０２および２０４は、チャネル応答に於いて見られた２個のマルチパス成分に対応する。ベースバンド受信機１００において、レイクフィンガ１２４はピーク２０２に割り当てられ、そしてレイクフィンガ１２２はピーク２０４に割り当てられている。最初は、ピーク２０４はこの二つのピークのより大きい方であり、そしてピーク２０４の到着時刻は最強フィンガ時刻トラッキングモジュール１４０の動作によって分数間隔等化器１５０に対する遅延オフセットとして使用される。
【００２８】
プロット２１０に示される次の瞬間において、受信機はピーク２１４によって示されたマルチパス信号から移り去っており、そしてフィンガ時刻トラッキングループは、ロックを維持するためにそのタイミングを常に調整するであろう。ピーク２１４は、信号強度が減少しているとして示され、一方ピーク２１２は強度が大きくなっている。
【００２９】
次の瞬間プロット２２０において、ピーク２２４は強度が減少しており、そしてピーク２２２は今や最強のピークである。したがって、最強フィンガ時刻トラッキングモジュール１４０は、レイクフィンガ１２４を最強レイクフィンガとして選定するであろう。ピーク２２２はピーク２２４から数チップ離れた遅延にあることが可能である。したがって、分数間隔等化器１５０の遅延オフセットは数チップだけ変化しているであろう。ピーク２２２に対する到着時刻に等しい遅延オフセットをもった、分数間隔等化器１５０に対するＭＭＳＥ濾波器係数は、ピーク２２４に関する到着時刻に等しい遅延オフセットをもった、分数間隔等化器１５０に対するＭＭＳＥ濾波器係数から非常に異なっているであろう。ＨＤＲ    ＣＤＭＡシステムにおいては、チャネル特性における激しい変化としてシステムが効率的に認知する値に適応するために、等化器に対して数スロットをとることが可能である。シンボル誤り率は、もしも濾波器の係数がいくつかのフレームに対するそれらのＭＭＳＥセッティングから遠く離れている場合は非常に増加することが可能である。
【００３０】
ここで図３を参照して、ブロック３００は通信受信機のベースバンド処理に関する部分を示している。ブロック３００は簡潔のためにベースバンド受信機の一部分のみを示しているが、この特許出願の中ではベースバンド受信機３００として参照されるであろう。ベースバンド受信機３００は、図３には示されていないＲＦフロントエンドから到着するサンプルバッファ入力３０２を受信するサンプルバッファ３１０を含む。これもまた単にレイク処理装置３２０として参照される、Ｎフィンガレイク処理装置３２０はレイクフィンガ３２２およびレイクフィンガ３２４等のいくつかのレイクフィンガを含む。レイクフィンガ３２２は、サンプルバッファ３１０からレイクフィンガ入力３０７を受信する。同様にレイクフィンガ３２４は、サンプルバッファ３１０からレイクフィンガ入力３０５を受信する。サンプルバッファ出力３０４は、またレイクフィンガ３２２および３２４からそれぞれ、レイクフィンガ到着時刻および信号エネルギー３２２、およびレイクフィンガ到着時刻および信号エネルギー３３０を受信する“重み付けされた平均時刻トラッキングモジュール（weighted mean time tracking module）”３４０に与えられる。重み付けされた平均時刻トラッキングモジュール出力３０６は分数間隔等化器３５０に与えられる。分数間隔等化器出力３０８はさらなるベースバンド処理のために与えられる。
【００３１】
ベースバンド受信機３００は、マルチパス干渉およびＩＳＩを和らげるための、レイク処理装置３２０および分数間隔等化器３５０を含む無線通信受信機のベースバンド処理の一部分を示している。ベースバンド受信機３００へのサンプルバッファ入力３０２は、一般的に、図３には示されていないＲＦフロントエンドから到着する受信された複素ベースバンドサンプルを含む。サンプルバッファ入力３０２はオーバーサンプルされることが可能であり、そしてサンプルは、そこでそれらが後の処理のために仮に保存されるサンプルバッファ３１０に通されるであろう。一般的に、サンプルは規則的な間隔で到着し、そしてそこでサンプルバッファ３１０は、標準の受信機動作期間中、連続的に新しいサンプルを加え、そして古いサンプルを落としてゆく。サンプルバッファ３１０は、ＦＩＦＯバッファとして実現されることが可能である。
【００３２】
レイク処理装置３２０は、各レイクフィンガ３２２および３２４に対する種々の到着時刻でサンプルバッファ３１０からサンプルを受け入れる。レイクフィンガ３２２はレイクフィンガ到着時刻および信号エネルギー３２２を、重み付けされた平均時刻トラッキングモジュール３４０に与える。同様に、レイクフィンガ３２４もまた、レイクフィンガ到着時刻および信号エネルギー３３０を、重み付けされた平均時刻トラッキングモジュール３４０に与える。重み付けされた平均時刻トラッキングモジュール３４０は、サンプルバッファ出力３０４を通ってサンプルバッファ３１０に結合される。
【００３３】
重み付けされた平均時刻トラッキングモジュール３４０は、遅延されたベースバンドサンプルを、重み付けされた平均時刻トラッキングモジュール出力３０６を通して分数間隔等化器３５０に与える。重み付けされた平均時刻トラッキングモジュール３４０は、分数間隔等化器３５０への入力として、サンプルバッファ３１０から“重み付けされた平均到着時刻”に等しい遅延オフセットをもつサンプルを選定する。そしてそれはそこで、分数間隔等化器出力３０８をベースバンド処理に関する残りに与える。“重み付けされた平均到着時刻”に関する決定は本出願の後の部分で論じられる。
【００３４】
図４は、分数間隔等化器３５０に対する遅延オフセットとして重み付けされた平均到着時刻を用いることの利点のいくつかを示している。プロット４００、４１０、および４２０は、ある時間にわたる重み付けされた平均到着時刻の変化を示している。プロット４００、４１０、および４２０は、１あるいは２スロットのオーダーの、若干の小さな時間間隔Δの間隔における時間領域チャネル応答に関する経時的なスナップショットを示している。さらに、プロット４００、４１０、および４２０は図２に示されたと同じ経時的スナップショットを示している。
【００３５】
プロット４００は、瞬間ｋにおけるチャネル応答を示している。ピーク４０２および４０４は、チャネル応答に見られる二つのマルチパス成分に対応している。ベースバンド受信機３００において、レイクフィンガ３２４はピーク４０２に割り当てられ、そしてレイクフィンガ３２２はピーク４０４に割り当てられている。最初に、ピーク４０４は、ピーク４０２よりもより大きい。ピーク４０２および４０４の、重み付けされた平均到着時刻４０６は、ピーク４０２および４０４の間のほぼ中間の破線によって表される。重み付けされた平均到着時刻４０６は、重み付けされた平均時刻トラッキングモジュール３４０の動作当たりの、分数間隔等化器３５０に対するオフセット遅延として用いられる。
【００３６】
プロット４１０に示される次の瞬間において、チャネル応答はプロット２１０において変化したとまさに同じに変化する。ここで、重み付けされた平均到着時刻４１６は、ピーク４１４が前の瞬間におけるよりもより少ないエネルギーを有し、そしてピーク４１２が前の瞬間よりもより多いために僅かに、しかし増分的にはより多く変化していることが見られる。
【００３７】
プロット４２０の最後の時刻の瞬間において、ピーク４２２は支配的なピークであり、そしてピーク４２４はもはや最強レイクフィンガではない。重み付けされた平均到着時刻４２６はその前の位置４１６から変化しており、しかし、ピーク４１４からピーク４２２に変化した最強レイクフィンガに基づいた遅延オフセットのように徹底的ではない。
【００３８】
一つの実施例はレイクフィンガ３２２および３２４から導出された重み付けされた平均到着時刻を、最強レイクフィンガに関する遅延オフセットよりむしろ、分数間隔等化器３５０に対する遅延オフセットとして用いることが可能である。レイクフィンガの重み付けされた平均到着時刻は、次のステップによって決定される。
【００３９】
１）レイクフィンガｉの到着時刻を用いて、すべてのレイクフィンガの全信号エネルギー強度に関するレイクフィンガの正規化された信号エネルギー強度、ｆｉ（ｎ）を決定する。ここで、“ｎ”は、以下にさらに詳細に論じられるスロット数を示す。レイク処理装置３２０の中にはＭ個のアクティブなレイクフィンガがあると仮定して、レイクフィンガｉに対する正規化された信号エネルギー強度は、次のように決定される。
【００４０】
【数１】
0004494012.tif 000002
ここで、ｓｉ（ｎ）は、ｉ番目のレイクフィンガのエネルギーである。
２）レイクフィンガｉの正規化された信号エネルギー、 ｆｉ（ｎ）と、レイクフィンガｉの到着時刻とを乗算する。積はレイクフィンガｉの重み付けされた到着時刻である。
【００４１】
３）上記ステップ１および２を、各レイクフィンガに対して繰り返す。そして
４）各レイクフィンガに関する重み付けされた到着時刻を、重み付けされた平均到着時刻を形成するために合計する。
上記ステップをまとめると、重み付けされた平均到着時刻は次のように決定される。
【００４２】
【数２】
0004494012.tif 000003
ここでτｉは、ｉ番目のレイクフィンガの到着時刻である。
遅延オフセットに対して重み付けされた平均到着時刻を用いることは、一つの典型的な実施例である。代わりの実施例は、重み付けされた平均以外の他の、レイクフィンガ到着時刻およびエネルギーに関する統計的結合を使用することが可能である。たとえば、他の実施例はレイクフィンガの到着時刻の中央値(median arrival time)を用いるかも知れない。
【００４３】
到着時刻の中央値を決定するために、各レイクフィンガの到着時刻は、そのエネルギーと共に到着時刻に従って整列された表中に置かれる。表における中央の記載値(median entry)が選定され、そしてそのレイクフィンガの対応する到着時刻が、到着時刻の中央値として選定される。
【００４４】
他の実施例は、重み付け手段よりはむしろ単純な手段を使用することが可能であろう。単純な手段を決定するために、Ｋ個のレイクフィンガの到着時刻はともに加算されそしてＫによって除算される。ここでＫは、１から利用可能なレイクフィンガの総数までに亘ることが可能である。Ｋはなおその上、アクティブなレイクフィンガの数に基づくことが可能である。統計的に導出された到着時刻の種々の形態が遅延オフセットを更新するために使用可能である。
【００４５】
ベースバンド受信機３００に対しては、分数間隔等化器３５０の遅延オフセットは、もしも重み付けされた平均到着時刻等の統計的に導出された到着時刻が、１個のタップ間隔より以上に変化する場合のみ変更することが望ましい。これは、無限長のＦＳＥが、そのＭＭＳＥ係数セッティングを通じて適切な遅延を合成することによって、いかなるタイミング誤りも訂正することが可能なためである。このことは、等化器がチャネルのインパルス応答の周囲に大まかに中心に置かれる限りは有限長ＦＳＥに対してもほぼ真実である。このことは、物理レイヤにスロットのあるデータフレームを有する任意の通信システムにおいて便利に実現されることが可能である。このようなシステムの一つの例はＨＤＲ  ＣＤＭＡシステムである。
【００４６】
図５は、順方向リンクにおけるＨＤＲスロット構造を示している。順方向リンクにおけるＨＤＲフレーム５０１は、ＰＮシーケンスロールオーバーで整列されている。ＰＮシーケンスは２６．６７ミリ秒毎に繰り返し、そして長さは３２７６８チップである。ＨＤＲフレーム５０１の中に、１６個のＨＤＲスロットが存在し、長さは各々２０４８チップ、すなわち１．６７ミリ秒である。ＨＤＲスロット５０３は、拡大された図においてはＨＤＲスロット５０５として示され、そしてそれは、ＨＤＲハーフスロット５０６および５０７を含む。各ＨＤＲハーフスロットはパイロットバーストを含む。パイロットバースト５１３は、ＨＤＲハーフスロット５０６に対する、そしてパイロットバースト５３３は、ＨＤＲハーフスロット５０７に対するものである。パイロットバースト５１３および５３３は、各々９６チップ長でそれらのそれぞれのＨＤＲハーフスロットの中間にパンクチャされている。
【００４７】
ＨＤＲハーフスロット５０６および５０７は、５１２、５１４、５３２、および５３４に、制御チャネル情報を含んでいる。ＨＤＲハーフスロット５０６は、５１１および５１５に、データシンボルを含んでいる。同様に、ＨＤＲハーフスロット５０７は、５３１および５３５に、データシンボルを含んでいる。一つの実施例に従って、分数間隔等化器３５０は、パイロットバースト５１３および５３３等のパイロットバーストの期間中に適応される。パイロットバースト５１３および５３３のシンボルのシーケンスは、受信機にとっては既知である。このようにして、パイロットバースト５１３および５３３は、分数間隔等化器３５０をトレーニングするためのトレーニングシーケンスとして用いられることが可能である。
【００４８】
分数間隔等化器３５０に関するより正確な適応のための一つの実施例に従って、分数間隔等化器３５０に関する遅延オフセットに対して更新の数を限定することが望ましい。スロットのあるシステムにおいて、分数間隔等化器３５０の遅延オフセットに対する更新の数を最小とするために、遅延オフセットの更新は、
１）スロットあたり多くて１回、そして
２）統計的に導出された到着時刻および分数間隔等化器３５０に関する現在の遅延オフセットが分数間隔等化器３５０に関するタップ間隔１個以上異なる場合のみ、発生する。
【００４９】
さらに、分数間隔等化器３５０に関する遅延オフセットは、パイロットバースト５１３および５３３の開始のときのみ更新される。適応アルゴリズムは、更新された遅延オフセットに対応するＭＭＳＥ解の近くに等化器濾波器係数を動かすために、次のパイロットバーストを使用することが可能であり、それらの以前は、濾波器係数は、制御、あるいはデータシンボルを復調するために使用される。もしも遅延オフセットの更新がＨＤＲスロット期間中の任意の他の時刻に発生する場合は、そこでＨＤＲスロットの制御あるいはデータ部分を復調するために適用される濾波器係数は、それらの最適のＭＭＳＥ解から非常に異なるであろう。その結果受信機特性はおおいに損なわれるであろう。一つの実施例においては、もしもベースバンド受信機３００がＨＤＲスロットを処理している場合は、そこで分数間隔等化器３５０は、現在の遅延オフセットとして参照される遅延オフセットを有している。次に、重み付けされた平均到着時刻が、重み付けされた平均到着時刻を決定するための上述の方法を用いて、重み付けされた平均時刻トラッキングモジュール３４０によって決定される。次に、値Ｘは、重み付けされた平均到着時刻マイナス分数間隔等化器３５０に関する現在の遅延オフセットにセットされるであろう。Ｘは等化器タップ間隔の単位を有する。もしもＸが１に等しいかより大きいか、あるいは、−１よりもより小さいかあるいは等しければ、そこで３個の課題が実行される。
【００５０】
Ｑ（ｚ）はｚを超えない最大の整数を示すとしよう。第１の課題は、もしもＸが１よりもより大きいかあるいは等しければ、分数間隔等化器３５０の現在の遅延オフセットをＱ（｜Ｘ｜）だけ増加することであり、あるいはもしもＸが−１よりもより小さいかあるいは等しければ、分数間隔等化器３５０の現在の遅延オフセットをＱ（｜Ｘ｜）だけ減少することである。第２の課題は、分数間隔等化器に関する濾波器係数をＱ（｜Ｘ｜）タップだけ時刻シフトすることである。そしてそれはＸの符号によって、分数間隔等化器３５０に関する時刻の前進あるいは時刻の遅延であることが可能である。第３の課題は、分数間隔等化器３５０に関する第１のＱ（｜Ｘ｜）係数は、もしも現在の遅延オフセットが増加された場合は０にセットされ、あるいは分数間隔等化器３５０の最後のＱ（｜Ｘ｜）係数は、もしも現在の遅延オフセットが減少された場合は０にセットされることである。
【００５１】
そうでなく、もしもＱ（｜Ｘ｜）が０に等しい場合は、そこで更新は起きずそして処理は次のＨＤＲスロットで繰り返される。
分数間隔等化器３５０の遅延オフセットを調整するための一つの実施例は、図６のフローチャートに示される。手順は、ステップ６００において開始する。ステップ６０２において重み付けされた平均時刻トラッキングモジュール３４０は１ループ待ち、そしてスロットｎの終端が到着するまで引き続いて質問(poll)される。
【００５２】
ステップ６０４において重み付けされた平均時刻トラッキングモジュール３４０はスロットｎ＋１に対する重み付けされた平均到着時刻を決定する。レイクフィンガ３２２および３２４は、それらのそれぞれの到着時刻および信号エネルギーを重み付けされた平均時刻トラッキングモジュール３４０に与える。重み付けされた平均時刻トラッキングモジュール３４０はそこで、重み付けされた平均到着時刻を決定する。
【００５３】
ステップ６０８において、重み付けされた平均時刻トラッキングモジュール３４０はスロットｎ＋１に対する重み付けされた平均到着時刻および現在の分数間隔等化器３５０に関する遅延オフセット間の差を、タップ間隔の単位で決定する。重み付けされた平均時刻トラッキングモジュール３４０はそこで、上記の差をＸとセットする。
【００５４】
ステップ６１０において、重み付けされた平均時刻トラッキングモジュール３４０は、差Ｘが１よりもより大きいかあるいは等しいか否かを決定する。もしも差が１よりもより大きいかあるいは等しい場合は、そこで重み付けされた平均時刻トラッキングモジュール３４０はステップ６１６に進む。もしも差が１よりもより小さい場合は、重み付けされた平均時刻トラッキングモジュール３４０はステップ６１２に進む。
【００５５】
ステップ６１２において、重み付けされた平均時刻トラッキングモジュール３４０は、差Ｘが−１よりもより小さいかあるいは等しいか否かを決定する。もしも差が−１よりもより小さいかあるいは等しい場合は、そこで重み付けされた平均時刻トラッキングモジュール３４０は、ステップ６１４に進む。もしも差が−１よりもより大きい場合は、重み付けされた平均時刻トラッキングモジュール３４０は、ステップ６２２に進む。
【００５６】
ステップ６１４において、重み付けされた平均時刻トラッキングモジュール３４０は、分数間隔等化器３５０に関する現在の遅延オフセットをＱ（｜Ｘ｜）だけ減少する。ここでＸはステップ６０８において決定されており、そしてＱ（ｚ）はｚを超えない最大の整数として定義される。重み付けされた平均時刻トラッキングモジュール３４０はそこで、ステップ６１８に進む。
【００５７】
ステップ６１６において、重み付けされた平均時刻トラッキングモジュール３４０は、分数間隔等化器３５０に関する現在の遅延オフセットをＱ（｜Ｘ｜）だけ増加する。ここでＸはステップ６０８において決定されており、そしてＱ（ｚ）はｚを超えない最大の整数として定義される。重み付けされた平均時刻トラッキングモジュール３４０はそこで、ステップ６２０に進む。
【００５８】
ステップ６１８において、分数間隔等化器３５０に関する係数はＱ（｜Ｘ｜）タップだけ進められる。ｈ（ｋ，ｎ）はスロットｎにおけるｋ番目の濾波器係数を示すとしよう。ここでｋは０からＮ−１の範囲にある。そこで、ｈ（ｋ，ｎ＋１）はｈ（ｋ，ｎ）から次のようにして形成される。ｋ＝０からＮ−１− Ｑ（｜Ｘ｜）までに対して、 ｈ（ｋ，ｎ＋１）はｈ（ｋ＋ Ｑ（｜Ｘ｜），ｎ）に等しいとセットされ、ｋ＝Ｎ− Ｑ（｜Ｘ｜）からＮ−１までに対して、 ｈ（ｋ，ｎ＋１）は０に等しいとセットされる。更新後の濾波器係数は ｈ（ｋ，ｎ＋１）であり、そして重み付けされた平均時刻トラッキングモジュール３４０は、ステップ６２２において手順の終端まで進む。
【００５９】
ステップ６２０において、分数間隔等化器３５０に関する係数はＱ（｜Ｘ｜）タップだけ時刻遅延される。ｈ（ｋ，ｎ）はスロットｎにおけるｋ番目の濾波器係数を示すとしよう。そこで、 ｈ（ｋ，ｎ＋１）はｈ（ｋ，ｎ）から次のようにして形成される。ｋ＝ Ｑ（｜Ｘ｜）からＮ−１までに対して、 ｈ（ｋ，ｎ＋１）はｈ（ｋ− Ｑ（｜Ｘ｜），ｎ）に等しいとセットされ、ｋ＝０からＱ（｜Ｘ｜）−１までに対して、 ｈ（ｋ，ｎ＋１）は０に等しいとセットされる。更新後の濾波器係数はｈ（ｋ，ｎ＋１）であり、そして重み付けされた平均時刻トラッキングモジュール３４０は、ステップ６２２において、手順の終端まで進む。このようにして、上述の方法で、本発明は、分数間隔等化器における遅延オフセットを決定するための方法および装置を与える。
【００６０】
当業界において熟練した人々は、情報および信号が、任意の種々の異なった技術および手法を用いて示されるかも知れないことを理解するであろう。たとえば、上の記述を通じて参照されるかも知れない、データ、命令、指令、情報、信号、ビット、シンボル、およびチップは、電圧、電流、電磁波、磁場あるいは粒子、光学的場あるいは粒子、あるいはそれらの任意の組み合わせによって示されるかも知れない。
【００６１】
熟練した人々はさらに、ここに開示された実施例と関連して記述された、種々の実例となる論理ブロック、モジュール、回路、およびアルゴリズムステップが、電子的ハードウエア、計算機ソフトウエア、あるいは両者の組み合わせとして実現されることが可能であることを正しく評価するであろう。ハードウエアおよびソフトウエアのこの互換性を明確に示すために、種々の例となる部品、ブロック、モジュール、回路、およびステップが、それらの機能の形で一般的に、上に述べられてきている。これらの機能がハードウエアあるいはソフトウエアとして実現されるか否かは、システム全体に課せられた、特定の応用および設計制約によって異なる。熟練した技術者は、記述された機能を各それぞれの応用に対して異なった方法で実現することが可能であるが、しかしこのような実現の決定は、本発明の範囲から逸脱する原因として解釈されるべきではない。
【００６２】
ここに開示された実施例と関連して述べられた、種々の例となる論理ブロック、モジュール、および回路は、汎用処理装置、ディジタル信号処理装置（ＤＳＰ）、特定用途向け集積回路（ＡＳＩＣ）、フィールドプログラマブルゲートアレイ（ＦＰＧＡ）あるいは他のプログラマブル論理デバイス、個別ゲートあるいはトランジスタ論理、個別ハードウエア部品、あるいは、ここに述べられた機能を実行するために設計された任意のこれらの組み合わせを用いて実現されあるいは実行されることが可能である。汎用処理装置はマイクロ処理装置であるかも知れず、しかし代わりに処理装置は、任意の従来の処理装置、制御器、マイクロ制御器、あるいはステートマシンであるかも知れない。処理装置もまた、たとえば、ＤＳＰおよびマイクロ処理装置の組み合わせ、複数のマイクロ処理装置、ＤＳＰコアと結合した１個あるいはそれ以上のマイクロ処理装置、あるいは任意の他のこのような配列等の、計算デバイスの組み合わせとして実現されるかも知れない。
【００６３】
ここに開示された実施例と関連して述べられた方法のステップあるいはアルゴリズムは、直接にハードウエア内で、処理装置によって実行されるソフトウエアモジュール内で、あるいはこの二つの組み合わせ内で実現されるかも知れない。ソフトウエアモジュールはＲＡＭメモリ、フラッシュメモリ、ＲＯＭメモリ、ＥＰＲＯＭメモリ、ＥＥＰＲＯＭメモリ、抵抗器、ハードディスク、取り外し可能なディスク、ＣＤ‐ＲＯＭ、あるいは当業界において知られる記憶媒体の任意の他の形態の中に置かれるかも知れない。典型的な記憶媒体は、処理装置がその記憶媒体から情報を読み、（その記憶媒体に）情報を書き込むことが可能なように処理装置に結合される。あるいは、記憶媒体は処理装置に一体化されるかも知れない。処理装置および記憶媒体はＡＳＩＣの中に置かれるかも知れない。ＡＳＩＣは、移動ユニット、基地局トランシーバ、あるいは衛星トランスポンダの中に置かれるかも知れない。あるいは処理装置および記憶媒体は、ユーザ端末の中に個別コンポーネントとして置かれるかも知れない。
【００６４】
開示された実施例に関する以上の記述は、当業界において熟練したいかなる人にも、本発明を作成しあるいは使用することを可能とするために与えられる。これらの実施例に関する種々の変更が、当業界において熟練した人々にとっては容易に明白であろうし、そしてここに定義された一般的原理は、本発明の精神あるいは範囲から逸脱することなしに他の実施例に適用することが可能である。従って、本発明は、ここに示された実施例に限定されることを意図したものではなく、しかし、ここに開示された原理および新規の特徴と一致した最も広い範囲に一致されるべきものである。
【００６５】
従って、分数間隔等化器において遅延オフセットを決定するための方法および装置が記述されている。
【図面の簡単な説明】
【００６６】
【図１】図１は、分数間隔等化器に対する遅延オフセットを与えるために、最強レイクフィンガに関する到着時刻を使用している通信受信機に関するブロック線図である。
【図２】図２は、どのように最強のピークが時刻とともに変化するかを示す、チャネルのインパルス応答に関する経時的なスナップショットである。
【図３】図３は、分数間隔等化器に対する遅延オフセットとして、レイクフィンガの重み付けされた平均到着時刻を使用する通信受信機に関するブロック線図である。
【図４】図４は、どのように重み付けされた平均到着時刻が時刻とともに変化するかを示す、チャネルのインパルス応答に関する経時的なスナップショットである。
【図５】図５は、順方向リンク内におけるＨＤＲスロット構造である。
【図６】図６は、濾波器係数更新手順を示すフローチャートである。
【符号の説明】
【００６７】
１００…ベースバンド受信機、  １０２…サンプルバッファ入力、  １０４…サンプルバッファ出力、  １０５…レイクフィンガ入力、  １０６…最強フィンガ時刻トラッキングモジュール出力、  １０７…レイクフィンガ入力、  １０８…分数間隔等化器出力、  １１０…サンプルバッファ、  １２０…レイク処理装置、  １２２…レイクフィンガ、  １２４…レイクフィンガ、  １３０…信号エネルギー、  １３２…信号エネルギー、  １４０…最強フィンガ時刻トラッキングモジュール、  １５０…分数間隔等化器、  ２００．２１０…プロット、  ２００…プロット、  ２０２…ピーク、  ２０４…ピーク、  ２１０…プロット、  ２１２…一方ピーク、  ２１４…ピーク、  ２２０…瞬間プロット、  ２２２…ピーク、  ２２４…ピーク、  ３００…ベースバンド受信機、  ３０２…サンプルバッファ入力、  ３０４…サンプルバッファ出力、  ３０５…レイクフィンガ入力、  ３０６…平均時刻トラッキングモジュール出力、  ３０７…レイクフィンガ入力、  ３０８…分数間隔等化器出力、  ３１０…サンプルバッファ、  ３２０…レイク処理装置、  ３２２…レイクフィンガ、  ３２２…信号エネルギー、  ３２４…レイクフィンガ、  ３３０…信号エネルギー、  ３４０…平均時刻トラッキングモジュール、  ３５０…分数間隔等化器、  ４００．４１０…プロット、  ４００…プロット、  ４０２…ピーク、  ４０４…ピーク、  ４０６…平均到着時刻、  ４１０…プロット、  ４１２…ピーク、  ４１４…ピーク、  ４１６…平均到着時刻、  ４２０…プロット、  ４２２…ピーク、  ４２４…ピーク、  ４２６…平均到着時刻、  ５０１…ＨＤＲフレーム、  ５０３…ＨＤＲスロット、  ５０５…ＨＤＲスロット、  ５０６…ＨＤＲハーフスロット、  ５０７…ＨＤＲハーフスロット、  ５１３…パイロットバースト、  ５３３…パイロットバースト、
【図１】
0004494012.tif 000004
【図２】
0004494012.tif 000005
【図３】
0004494012.tif 000006
【図４】
0004494012.tif 000007
【図５】
0004494012.tif 000008
【図６】
0004494012.tif 000009